(57)【要約】【課題】  ゴシックアーチ描記において、幅広い症例に適し、術者にとって作業性が良好で、正確な描記が可能で、患者にとって負担が少なく、衛生面に優れたゴシックアーチ描記用キットを提供する。【解決手段】  ゴシックアーチ描記用の描記針、及び、口内描記用の描記面を有する描記体と前記描記針の保持体形成用のペースト状の光重合レジン組成物のブロックとを備え、前記光重合レジン組成物が、ａ）少なくとも１個の不飽和二重結合を有しウレタン結合を持たない（メタ）アクリレート５〜５０重量％、ｂ）４０℃以下で結晶質あるいは非晶質の固体であり、少なくとも１個の不飽和二重結合を有しウレタン結合を持つ（メタ）アクリレート１０〜６０重量％、ｃ）無機質充填材１０〜５０重量％、ｄ）有機質充填材５〜３０重量％、および、ｅ）光重合開始剤０．０３〜３重量％を含有する。【選択図】  図１
2009240514.tif 000002
【特許請求の範囲】
【請求項１】
ゴシックアーチ描記用の描記針、及び、口内描記用の描記面を有する描記体と前記描記針の保持体形成用のペースト状の光重合レジン組成物とを備えたことを特徴とするゴシックアーチ描記用キット。
【請求項２】
前記光重合レジン組成物が、
ａ）少なくとも１個の不飽和二重結合を有しウレタン結合を持たない（メタ）アクリレート５〜５０重量％、
ｂ）４０℃以下で結晶質あるいは非晶質の固体であり、少なくとも１個の不飽和二重結合を有しウレタン結合を持つ（メタ）アクリレート１０〜６０重量％、
ｃ）無機質充填材１０〜５０重量％、
ｄ）有機質充填材５〜３０重量％、および、
ｅ）光重合開始剤０．０３〜３重量％を含有するものであることを特徴とする請求項１記載のゴシックアーチ描記用キット。
【請求項３】
前記描記針は、アクリル樹脂製であることを特徴とする請求項１または２記載のゴシックアーチ描記用キット。
【請求項４】
前記光重合レジン組成物は、所定形状のブロックに成形されてなることを特徴とする請求項１、２または３記載のゴシックアーチ描記用キット。
【請求項５】
前記光重合レジン組成物は、前記描記体と前記描記針の保持体を形成する適量が遮光性袋に密封されていることを特徴とする請求項１、２、３または４記載のゴシックアーチ描記用キット。
【請求項６】
さらに、口腔内で前記描記体に描記面を形成するための描記面形成治具を具備することを特徴とする請求項１、２、３、４または５記載のゴシックアーチ描記用キット。
【発明の詳細な説明】
【技術分野】
【０００１】
この発明は、ゴシックアーチ描記用キットに関するものである。さらに詳しくは、この発明は、口腔内においてゴシックアーチを描記するのに使用するキットに関するものである。
【背景技術】
【０００２】
無歯顎、多数歯欠損、噛み合わせの不具合がある等、顎間関係が確保されていない患者にとって、望ましい歯科補綴物（例えば、有床義歯、橋義歯、クラウン等）を調整し、咀嚼機能や発音機能の回復、さらに、咬み合わせ等の改善を図るためには、咬合器において患者の適切な顎間関係を構築することが必要となる。
それには、患者の口腔内において奥歯でしっかり噛むための下顎位である咬頭嵌合位を決定し、得られた咬頭嵌合位を咬合器に付与することが重要となる。
咬頭嵌合位は、垂直的顎間関係（すなわち咬合高径）と水平的顎間関係（すなわち、頭蓋に対する下顎の前後左右的位置）によって決定されるが、後者の水平的顎間関係を求める客観的手法としてゴシックアーチ描記法がある。これは、下顎を後退位にし、そこから前方、左右側方に限界まで運動させ、その運動軌跡を記録する方法である。ゴシックアーチ描記法による下顎の運動は、ほぼ左右の関節を中心とした回転運動であり、得られた運動軌跡が全体的にゴシック建築の屋根に似ていることから「ゴシックアーチ」と名付けられている。
【０００３】
ゴシックアーチ描記法には、描記を口腔外で行う口外描記法と口腔内で行う口内描記法とがある。
口外描記法は、描記針と描記板を口腔外に設置する描記装置により、下顎の運動軌跡を描記することから、直接運動軌跡を観察でき、繊細な描記線が得られるが、装置が大きく口腔外に突出していることから、装置を取り付けた咬合床または固定用治具が動揺したり脱落したりしやすく、不安定であり描記しにくい。
口内描記法は、描記針と描記板を口腔内に設置して描記することから、描記終了後でないと運動軌跡が観察できず描記線も比較的太くなるが、安定性に優れ、操作性等からも口外描記法と比較して実用的である。
【０００４】
従来の口内描記法等については、非特許文献１、特許文献１がある。
【０００５】
図１７（ａ）に、従来の口内描記法における描記針４１、図１７（ｂ）に描記板４２の一例を示す。描記針４１を下顎に、描記板４２を上顎に設置してゴシックアーチを描記する場合（図１８（ａ）参照）、逆に、描記針４１を上顎に、描記板４２を下顎に設置してゴシックアーチを描記する場合があるが、患者の口腔内の状態、術者の好み等に応じて選択される。
図１８（ａ）は、上顎の記録床４３に描記板４２を設置し、下顎の記録床４４に描記針４１を設置し、描記板４２にインクを塗布し、口腔内において、下顎を前後、左右側方運動させてインクを掻き取ってゴシックアーチを描記する概略を示し、図１８（ｂ）に描記されたゴシックアーチを記録床４３とともに示す。なお、描記には、描記板４２と描記針４１との間に咬合紙を介在させて行うこともある。
【０００６】
そして、ゴシックアーチ描記後、上下顎記録床を固定するため、描記板にプラスチック板を付け、プラスチック板の孔と描記針を一致させるように軽く咬合させ、この状態で上下顎記録床の間に印象用石膏等を注入し、印象用石膏等の硬化後、記録床を口腔外に取り出し、咬合器に再装着する。
得られたゴシックアーチをもとに水平的顎間関係の決定や診断、治療方針の策定等が行われる。また、ゴシックアーチを利用し、下顎の前方位、左右側方位でのチェックバイトを採得したり、ゴシックアーチの図形により顎関節、咀嚼筋の異常等の判定を行うことが可能である。
【非特許文献１】細井紀雄、平井敏博編「無歯顎補綴治療学」医歯薬出版株式会社、２００４年９月１０日、ｐ．１４５〜１４９
【特許文献１】登録実用新案第３０１７２０５号公報
【発明の開示】
【発明が解決しようとする課題】
【０００７】
従来の口内描記法で使用される描記針と描記板は、本来、全部床義歯を必要とする無歯顎の患者を対象としたものであり、部分床義歯やブリッジ等を必要とする有歯顎の患者では、残存歯が少ない無歯顎に近い状態でないと使用し難く、残存歯が邪魔となり無理に使用しても使用勝手が悪く、幅広い症例の患者への適用性が低い。また、描記針と描記板は、金属製で繰り返して使用できるようになっているが、使用後の消毒、滅菌を必要とし、手間がかかり、繰り返し使用による不衛生、不潔との印象を患者に与えやすい。そして、繰り返し使用することは、その都度、描記板からゴシックアーチが消去されることになり、後日、患者のゴシックアーチの再現等ができず、そのためには、再度の描記が必要となる。ゴシックアーチ描記後、チェックバイト採得には、描記針を位置決めする孔の開いたプラスチック板を使用することから、前方、左右側側方限界運動路でのチェックバイト採得の操作は煩雑で困難である。
【０００８】
この発明は、上記のような実情に鑑み鋭意研究の結果創案されたものであり、ゴシックアーチ描記において、幅広い症例に適し、術者にとって作業性が良好で、正確な描記が可能で、患者にとって負担が少なく、衛生面に優れたゴシックアーチ描記用キットを提供することを目的としている。
【課題を解決するための手段】
【０００９】
上記課題を解決するために、この発明のゴシックアーチ描記用キットは、ゴシックアーチ描記用の描記針、及び、口内描記用の描記面を有する描記体と前記描記針の保持体形成用のペースト状の光重合レジン組成物とを備えたことを特徴とする。
【００１０】
そして、光重合レジン組成物が、ａ）少なくとも１個の不飽和二重結合を有しウレタン結合を持たない（メタ）アクリレート５〜５０重量％、ｂ）４０℃以下で結晶質あるいは非晶質の固体であり、少なくとも１個の不飽和二重結合を有しウレタン結合を持つ（メタ）アクリレート１０〜６０重量％、ｃ）無機質充填材１０〜５０重量％、ｄ）有機質充填材５〜３０重量％、および、ｅ）光重合開始剤０．０３〜３重量％を含有するものであることが好ましい。
【００１１】
そして、描記針は、アクリル樹脂製であることが好ましい。
前記光重合レジン組成物は、所定形状のブロックに成形されてなることが好ましい。
前記光重合レジン組成物は、前記描記体と前記描記針の保持体を形成する適量が遮光性袋に密封されていることが好ましい。
さらに、口腔内で前記描記体に描記面を形成するための描記面形成治具を具備することが好ましい。
なお、この発明における「ペースト状」とは、半固形状または軟膏状であって、保形性があり手指等によって、容易に所定形状に形成できる状態を意味する。
【発明の効果】
【００１２】
この発明は、以上説明したように構成されているので、以下に記載されるような効果を奏する。
すなわち、ゴシックアーチ描記において、幅広い症例に適し、術者にとって作業性が良好で、正確な描記が可能で、患者にとって負担が少なく、衛生面に優れたゴシックアーチ描記用キットを得ることができる。
【００１３】
より具体的には、光重合レジン組成物は、ペースト状で可塑性があり、所定厚さ、所定形状等への付形性が良好であることから、無歯顎、有歯顎の患者に係わらず、幅広い症例に適用可能であって、口内描記用の描記体、描記針の保持体を容易に形成でき、保持体には、描記針を容易に設置でき、また、術者の任意のタイミングで光を照射すれば重合硬化することから作業性が良好である。光重合レジン組成物の光重合時の発熱は僅かであり、患者の口腔内に火傷が発生する恐れがなく、また、光重合による熱変形が殆どなく、重合収縮も少ないことから、描記体の描記面の平面状態が維持されるとともに口腔内の形状との適合が良好である。
【００１４】
ゴシックアーチの描記に使用した保持体や描記針、描記した描記体は、繰り返し使用することがないので、滅菌、消毒等の処理を必要とせず、患者に不潔、非衛生的といった印象を与えることがなく、また、個々の患者の描記体を保存することで、必要な時にゴシックアーチを再現することが可能となる。
また、描記体は繰り返し使用することがないことから、後述するように、チェックバイト採得のために描記体にラウンドバー等で描記針位置決め用の前方、左右側側方限界運動路に凹部を形成してもよく、複数の位置でのチェックバイト採得が容易に行える。
【００１５】
光重合レジン組成物が、ａ）少なくとも１個の不飽和二重結合を有しウレタン結合を持たない（メタ）アクリレート５〜５０重量％、ｂ）４０℃以下で結晶質あるいは非晶質の固体であり、少なくとも１個の不飽和二重結合を有しウレタン結合を持つ（メタ）アクリレート１０〜６０重量％、ｃ）無機質充填材１０〜５０重量％、ｄ）有機質充填材５〜３０重量％、および、ｅ）光重合開始剤０．０３〜３重量％を含有するものであると、操作性が良好で、描記体、保持体の形成が容易である。そして、光重合時の発熱も、高々３℃程度であることから、例えば、口腔内が３７℃程度であっても、４０℃程度までにしかならず、患者の口腔内を火傷等する恐れがない。
【００１６】
描記針が、アクリル樹脂製であると、保持体と描記針との接着を接着剤により良好に行うことができる。
【００１７】
前記光重合レジン組成物が、所定形状のブロックに成形されていると、口腔内での描記体、保持体の形成が容易である。
【００１８】
前記光重合レジン組成物は、前記描記体と前記描記針の保持体を形成する適量が遮光性袋に密封されていると、ゴシックアーチ描記が必要なときに、遮光性袋から光重合レジン組成物を取り出し、描記体、保持体を形成するのに使われ、余すことが少なく廃棄する無駄が少ない。
【００１９】
さらに、口腔内で前記描記体に描記面を形成するための描記面形成治具を具備することで、光重合レジン組成物を口腔内で描記体を形成する際、描記面形成治具を用いて、描記体に描記に適した描記面を容易に形成することができる。
【００２０】
そして、この発明のゴシックアーチ描記用キットは、安価であり、また、従来の描記板、描記針を使用するゴシックアーチの描記に比べ、準備、描記等の操作に要する時間を短縮することにもなる。
【発明を実施するための最良の形態】
【００２１】
以下、発明を実施するための最良の形態を示し、さらに詳しくこの発明について説明する。もちろんこの発明は以下の実施の形態によって限定されるものではない。
【００２２】
この発明で使用する光重合レジン組成物としては、ペースト状で可塑性があり、光重合時の発熱が少なく、重合収縮も少ない歯科用の光重合レジン組成物であれば使用できるが、とりわけ、下記の光重合レジン組成物が好ましい。
ａ）少なくとも１個の不飽和二重結合を有しウレタン結合を持たない（メタ）アクリレート５〜５０重量％、ｂ）４０℃以下で結晶質あるいは非晶質の固体であり、少なくとも１個の不飽和二重結合を有しウレタン結合を持つ（メタ）アクリレート１０〜６０重量％、ｃ）無機質充填材１０〜５０重量％、ｄ）有機質充填材５〜３０重量％、および、ｅ）光重合開始剤０．０３〜３重量％を含有する光重合レジン組成物。
【００２３】
前記ａ）成分としては、２−エチルヘキシルメタクリレート、ｎ−ブチルメタクリレート、ｉ−ブチルメタクリレート、ｔ−ブチルメタクリレート、アルキルメタクリレート、メトキシエチルメタクリレート、２−ヒドロキシブチルメタクリレート、ベンジルメタクリレート、フェニルメタクリレート、フェノキシエチルメタクリレート、エチレングリコールジメタクリレート、ジエチレングリコールジメタクリレート、トリエチレングリコールジメタクリレート、ヒドロキシエチルメタクリレート、１，３−ブチレングリコールジメタクリレート、１，４−ブチレングリコールジメタクリレート、ネオペンチルグリコールジメタクリレート、１，６−ヘキサンジオールジメタクリレート、または、これらのアクリレートが例示できる。これらのメタクリレートまたはアクリレートは、単独あるいは２種以上を混合して使用することができる。そして、ａ）成分が５〜５０重量％であることが好ましく、５重量％未満では、光重合レジン組成物の操作性や重合硬化したものの強度が不十分となり、５０重量％を超えると、重合硬化したものの硬度が高くなり過ぎ、靭性のあるものが得られないことから好ましくない。ａ）成分は、重量平均分子量が１００〜３００であることが好ましい。重量平均分子量が１００未満の場合はモノマーが揮発し易くなり、３００を超える場合は硬化体が脆くなり適当でない。
【００２４】
ｂ）成分としては、ジ−２−メタクリロキシエチル−２，２，４−トリメチルヘキサメチレンジカルバメート、１，３，５−トリス［１，３−ビス（メタクリロイルオキシ）−２−プロポキシカルボニルアミノヘキサン］−１，３，５−（１Ｈ，３Ｈ，５Ｈ）トリアジン−２，４，６−トリオン、又はこれらのアクリレート、２，２’−ジ（４−ヒドロキシシクロヘキシル）プロパンと２−オキシパノンとヘキサメチレンジイソシアネートと２−ヒドロキシエチルメタクリレート又は２−ヒドロキシエチルアクリレートとからなるウレタンオリゴマー、１，３−ブタンジオールとヘキサメチレンジイソシアネートと２−ヒドロキシエチルメタクリレート又は２−ヒドロキシエチルアクリレートとからなるウレタンオリゴマーを例示できる。これらは単独あるいは２種以上を混合して使用してもよい。４０℃以下で結晶質あるいは非晶質でないものは、レジン組成物の重合前の状態でべとつくことから好ましくない。光重合レジン組成物においては、ｂ）成分が１０〜６０重量％であることが好ましく、１０重量％未満では、光重合レジン組成物が重合前の状態でべとつき、また、重合硬化したものの強度、弾力性が得られなくなり、６０重量％を超えると重合前のものが脆く、操作性が低下することから好ましくない。ｂ）成分は、重量平均分子量が３００〜５０００であることが好ましい。重量平均分子量が３００未満の場合には、重合前のものを手で取り扱う際、形状が崩れ易くなり、５０００を超えた場合には、硬くなって重合前のものを口腔内で描記体や描記針の保持体に形成させにくくなり、好ましくない。
【００２５】
前記ａ）成分は、重合硬化において、共重合したり、単独重合したりし、これらが有効に機能し、描記体や描記針の保持体にとって必要とされる、強度、硬度を生じるのに寄与するものと考えられる。
【００２６】
ｃ）成分としては、バリウムガラス、アルミナガラス、カリウムガラス等の各種ガラス、シリカ、合成ゼオライト、リン酸カルシウム、長石、ケイ酸アルミニウム、ケイ酸カルシウム、炭酸マグネシウム、石英などの粉末が例示できる。これらのｃ）成分は、通常は平均粒径が１００μｍ以下のものが用いられるが、粒子の小さいものとしては平均粒径が５０ｎｍ以下の微粒子状のものも用いることができる。平均粒径が１００μｍを超えると、描記針が円滑に移動しにくく好ましくない。光重合レジン組成物においては、ｃ）成分が１０〜５０重量％であることが好ましい。ｃ）成分が１０重量％未満では、重合硬化したものが脆くなり、５０重量％を超えると、重合前のものがペースト状でなく硬くなり過ぎて操作性が低下する傾向がある。
【００２７】
前記ｃ）成分は、予めシラン物質を用いて表面処理したものを用いることが望ましい。この表面処理剤としては、γ−メタクリロキシプロピルトリメトキシシラン、ビニルトリクロロシラン、ビニルトリエトキシシラン、ビニルトリメトキシシラン、ビニルトリアセトキシシラン、ビニルトリ（メトキシエトキシ）シランなどの有機ケイ素化合物が用いられ、表面処理は公知のシラン処理法により行われる。
【００２８】
前記ｃ）成分の一部として平均粒径１μｍ〜８μｍのシランカップリング処理されたガラス微粉末を５０重量％以下使用する場合、該ガラス微粉末と併用する他のｃ）成分としては、平均粒径が５〜２０ｎｍで表面が疎水化したコロイダルシリカが、分散性や強度の点から好ましい。このコロイダルシリカは、シランカップリング処理されていないものであっても、表面が疎水化されている理由からそのまま使用できる。ｃ）成分のうち前記ガラス微粉末が５０重量％を超える場合には、重合硬化したものが硬くなり過ぎる傾向がある。
【００２９】
ｄ）成分としては、メチルメタクリレート、エチルメタクリレート、２−エチルヘキシルメタクリレート、ｎ−ブチルメタクリレート、ｉ−ブチルメタクリレート、ｔ−ブチルメタクリレート、アルキルメタクリレート、メトキシエチルメタクリレート、２−ヒドロキシブチルメタクリレート、ベンジルメタクリレート、フェニルメタクリレート、フェノキシエチルメタクリレート、ヒドロキシエチルメタクリレート、または、これらのアクリレートのホモポリマー、または、これらのコポリマー、または、これらのホモポリマーとコポリマーとの混合物が採用できる。これらのｄ）成分は、懸濁重合（パール重合）することで得ることができる。ｄ）成分は、一般に平均粒径１００μｍ以下の粒状または粉末状のものを使用することが好ましい。平均粒径が１００μｍ以下であると、光重合レジン組成物が重合硬化したものの審美性が良好となり、１００μｍを超えると、重合硬化したものの表面に有機質充填材がパール状になって現れ、描記針が円滑に移動しにくくなると共に硬化体が脆くなる。光重合レジン組成物においては、ｄ）成分が５〜３０重量％であることが好ましい。ｄ）成分が５重量％未満では、レジン組成物がペースト状にならず、作業性が劣り、成形が困難となり好ましくなく、３０重量％を超えると、粉成分が過剰になるため、成形が困難となり好ましくない。
【００３０】
光重合レジン組成物においては、前記ｄ）成分の一部を有機無機複合充填材に置き換えることも可能である。光重合レジン組成物をペースト状とする際に、前記したｃ）成分の割合が多いと硬化後の研磨性や靭性に乏しく、前記したｄ）成分の割合が多いと硬化後の強度、硬度や耐衝撃性に乏しくなる。また、ａ）成分やｂ）成分の割合が多くても、モノマー成分が過剰であるため、成形が困難となり、重合硬化時の重合収縮も大きくなり好ましくない。そこで、前記ｄ）成分の一部、より具体的には、８０重量％以下を有機無機複合充填材に置き換えることによって、光重合レジン組成物における重合前の作業性が良好となり、重合硬化時の重合収縮を確実に抑えることが可能となる。
【００３１】
有機無機複合充填材としては、前記したｃ）成分と、前記したａ）成分、ｂ）成分、ｄ）成分に使用するモノマーのうちから選択された少なくとも１種のモノマーとを混合した後、重合させ、次いで、粉砕したものが例示できる。より具体的には、前記の無機質充填材、前記のモノマー、加熱重合開始剤、例えば、ベンゾイルパーオキサイド等の過酸化物、アゾビスイソブチロニトリル等のアゾ化合物、更に必要に応じ前記したカップリング剤、着色剤、酸化安定剤、紫外線吸収剤、顔料等を適宜添加し、攪拌混合し、そして、８０〜１２０℃で重合させ、ボールミルなどで平均粒径１〜５０μｍ程度に粉砕することで得られたものを採用することができる。平均粒径が１μｍ未満では、比表面積が大きくなり、光重合レジン組成物とする際、他の成分との均一な混合に長時間を要する上に、硬くなりやすく、作業性が劣ることになり好ましくない。平均粒径が５０μｍを超えると、粘膜面との接触感が悪くなり好ましくない。
【００３２】
前記ｅ）成分としては、３９０〜８３０ｎｍの可視光線の作用により光重合レジン組成物を重合させることができる増感剤と還元剤との組み合わせからなる光重合開始剤が用いられる。
【００３３】
増感剤としては、カンファーキノン、ベンジル、ジアセチル、ベンジルジメチルケタール、ベンジルジエチルケタール、ベンジルジ（２−メトキシエチル）ケタール、４，４’−ジメチルベンジル−ジメチルケタール、アントラキノン、１−クロロアントラキノン、２−クロロアントラキノン、１，２−ベンズアントラキノン、１−ヒドロキシアントラキノン、１−メチルアントラキノン、２−エチルアントラキノン、１−ブロモアントラキノン、チオキサントン、２−イソプロピルチオキサントン、２−ニトロチオキサントン、２−メチルチオキサントン、２，４−ジメチルチオキサントン、２，４−ジエチルチオキサントン、２，４−ジイソプロピルチオキサントン、２−クロロ−７−トリフルオロメチルチオキサントン、チオキサントン−１０，１０−ジオキシド、チオキサントン−１０−オキサイド、ベンゾインメチルエーテル、ベンゾインエチルエーテル、イソプロピルエーテル、ベンゾインイソブチルエーテル、ベンゾフェノン、ビス（４−ジメチルアミノフェニル）ケトン、４，４’−ビスジエチルアミノベンゾフェノン、（２，４，６−トリメチルベンゾイル）ジフェニルフォスフィンオキサイド等のアシルフォスフィンオキサイド、アジド基を含む化合物が例示できる。これらの増感剤は１種もしくは２種以上を組み合わせて使用してもよい。
【００３４】
また、還元剤としては、３級アミン等が一般に使用され、３級アミンとしては、Ｎ，Ｎ−ジメチル−ｐ−トルイジン、Ｎ，Ｎ−ジメチルアミノエチルメタクリレート、トリエタノールアミン、４−ジメチルアミノ安息香酸メチル、４−ジメチルアミノ安息香酸エチル、４−ジメチルアミノ安息香酸イソアミルが例示でき、また、他の還元剤として、ベンゾイルパーオキサイド、スルフィン酸ソーダ誘導体、有機金属化合物が例示できる。これらの還元剤は１種もしくは２種以上を組み合わせて使用してもよい。なお、光重合開始剤の配合量が、０．０３重量％未満の場合には、充分な光重合効果を得ることができなくなり、３重量％を超えると、光照射を行う前に重合が開始されてしまい適当でない。
【００３５】
光重合レジン組成物には、必要に応じ紫外線吸収剤、重合禁止剤、可塑剤、顔料、酸化防止剤、抗菌剤、界面活性剤等を適宜添加できる。
【００３６】
次に、光重合レジン組成物の調製および使用方法の一例を示す。先ず、前記ａ）成分、ｂ）成分、ｃ）成分、ｄ）成分、ｅ）成分を所定組成割合になるように秤量し、必要に応じ、前記した紫外線吸収剤等を加え、均一になるように攪拌混合し、所定時間経過させて生地を作製する。直方体状のブロックとするには、例えば、得られた生地を延ばし棒によって所定厚さのプレート状になるまで押し延ばす。多量に作製する場合は、適宜の押出成形機を使用し、所定厚さに成形すればよい。得られたプレート状の光重合レジン組成物は、必要とするサイズの直方体状ブロックに切り出す。
【００３７】
次に、この発明のゴシックアーチ描記用キットを図面に基づいて説明する。
図１は、この発明のゴシックアーチ描記用キットの一例を示し、（ａ）は描記針１、（ｂ）はペースト状の光重合レジン組成物の直方体状ブロック２ａ、２ｂの斜視図である。
一方のブロック２ａは、描記体を形成するのに使用され、他方のブロック２ｂは、描記針の保持体を形成するのに使用されるものである。図においては、ブロック２ａ、２ｂは、同一の大きさとして示されているが、異なっていてもよい。これらのブロック２ａ、２ｂは、患者の症例、性別等に応じて、また、描記体を上顎に形成するか下顎に形成するかによっても使用する量が異なるといえるが、標準サイズの１種類とするか、または、Ｓ、Ｍ、Ｌのように数種のサイズがあればよい。２つのブロックによれば、一方のブロックの量では不足で、他方のブロックが余るような場合は、他方のブロックから補充するような使い方が可能である。もちろん、ブロックを２つとせず、２つのブロックを縦に接続した長さの１つのブロックとしてもよい。
描記針１も標準サイズの１種類とするか、または、Ｓ、Ｍ、Ｌのように数種の長さや太さの異なるサイズを用意し、患者に応じ選択するようにしてもよい。
【００３８】
描記針１は、円錐体であり、口腔内に形成された描記針の保持体に設置され、先端１ａがゴシックアーチを描記するのに用いられる。描記針１の先端１ａは、ゴシックアーチを描記するのに支障がないように丸味をおびているが、これに限られるものではない。描記針１は、アクリル樹脂を射出成形等適宜の成形方法によって成形したものである。アクリル樹脂としては、ポリメチルメタクリレート（ＰＭＭＡ）、ポリメタクリル酸エチル等が例示できるが、これに限定されるものではない。
【００３９】
次に、図１に示すゴシックアーチ描記用キットによって、患者の口腔内でゴシックアーチを描記する方法を以下説明する。
【００４０】
上下顎の臼歯部が欠損した患者の上顎３を図２に、下顎４を図３に示す。
図２、図３に示した有歯顎の患者の口腔内において、その上顎３に描記体を形成するには、図１（ｂ）に示したブロック２ａを残存前歯部に対し、例えば、手指で圧接して変形させ、患者の口腔内の状態に応じて描記体５を形成する（図５参照）。その際、光重合レジン組成物の量が多い場合は、描記体５を形成する前に口腔外でブロックの不要な量を歯科用ナイフで除去すればよい。
【００４１】
描記体５に描記面５ａを形成するには、例えば、スパチュラ等を使用してもよいが、図４に示すような描記面形成治具６を使用してもよい。これは、透明な合成樹脂製板状体を断面Ｌ字状に折り曲げた形状のもので、均し面６ａを有する。これによれば、図５に示すように描記面形成治具６の均し面６ａを描記体５に押し当て、作業中の描記面５ａの状況を目視しながら、平らな描記面５ａを形成させればよく、熟練を要せず簡便である。
【００４２】
また、図６に示すような描記面形成治具８を使用してもよい。これは、ホルダー部８ａの先端に均し板８ｂが接続された形状で、合成樹脂を成形したものである。均し板８ｂは均し面を有する。これによれば、ホルダー部８ａを持って均し板８ｂの均し面を描記体５に押し当て、一種のコテのようにして平らな描記面５ａを形成させればよく、熟練を要せず簡便である。
【００４３】
次に、前記した有歯顎の患者の口腔内において、対顎となる下顎４に描記針１の保持体９を形成するには、先ず、図１（ｂ）に示したブロック２ｂを下顎４の残存前歯部に対し、例えば、手指で圧接して変形させ、描記針１の保持体９を形成する。保持体９の上顎との対向面（図７では上向きの表面で、描記針設置面９ａとなる。）を、描記体５の描記面５ａの形成と同様にして形成する。保持体９の描記針設置面９ａを形成する際にも、図４、図６に示す描記面形成治具６、８を使用できるが、保持体９の描記針設置面形成用に、描記面形成治具とは、サイズ、形状の若干異なる描記針設置面形成治具（図示省略）を使用してもよい。なお、保持体９を形成する際、光重合レジン組成物の量が多い場合は、保持体９を形成する前に口腔外でブロックの不要な量を歯科用ナイフで除去すればよいことは、描記体の形成と同様である。
【００４４】
保持体９の作製においては、光重合による完全硬化後、保持体９の描記針設置面９ａに描記針１を接着剤で接着して設置し、描記針１の先端１ａで描記体５の描記面５ａにゴシックアーチが描記される際に、下顎を前後、左右側方運動させるのに残存歯が支障とならないように、上顎と下顎との間隔が確保できるようにすればよい。
【００４５】
なお、描記針１によって描記体５にゴシックアーチが描記される際に、下顎の運動に伴って描記体５が動いたり、下顎の運動に同調せずに保持体９が動いたりする可能性がある場合は、これらの移動が防止できる適宜の手段を講ずればよく、例えば、光重合レジン組成物で残存歯の唇側に掛止する爪を描記体５や保持体９の縁部に形成することが採用できる（図示せず）。
【００４６】
次いで、光照射器により光を照射して描記体５、保持体９を予備重合させる。予備重合は、残存歯にアンダーカットがあっても描記体５、保持体９が弾性変形し、口腔内から容易に取り外せる程度となるようにすればよい。取り出した描記体５、保持体９の残存歯との接触面がアンダーカットとなる箇所は、バー等で削除して形状修正をする（図示せず）。
そして、形状修正された描記体５、保持体９を口腔内に戻し、前述したように、必要に応じ、ゴシックアーチ描記時の描記体５、保持体９の移動防止爪を光重合レジン組成物により形成した後、光照射器により光を照射して描記体５、保持体９を最終重合させ完全硬化させる。
【００４７】
残存歯によって、描記体５、保持体９にアンダーカットが形成されない場合は、描記体５、保持体９を予備重合しないで、光重合による完全硬化までを継続してもよい。
光重合には、ハンディタイプの光照射器を用いればよい。
【００４８】
描記体５、保持体９は、光重合によって硬化することから、重合による発熱が少なく、口腔内に火傷を生じたりすることがなく、また、光重合による熱変形が殆どなく、重合収縮も少ないことから、描記体の描記面の平面状態が維持されるとともに口腔内の形状との適合が良好である。
【００４９】
そして、描記針１の底面に接着剤を塗布し、描記針１が正中線上に位置し、かつ、描記体５の描記面５ａに可及的垂直となるように調整して、描記針１を保持体９の描記針設置面９ａに接着させる（図８参照）。なお、保持体９の描記針設置面９ａの描記針の設置個所に接着剤を付け、描記針１を接着させるようにしてもよい。
【００５０】
描記面５ａと描記針１の先端１ａとの間に咬合紙（図示せず）を介在させ、下顎を前後、左右側方運動させることにより、描記針１によって、ゴシックアーチが描記面５ａに記録される（図９参照）。なお、描記体５の描記面５ａに掻き取り可能なインクを塗布し、下顎を前後、左右側方運動させることにより、描記針１の先端１ａで、インクを線状に掻き取りゴシックアーチが描記されるようにしてもよい。または、描記針１にインクをつけ、描記面５ａにゴシックアーチが描記されるようにしてもよい。
【００５１】
得られたゴシックアーチを描記した描記体５、保持体９を咬合器の上下顎模型等に装着し、水平的顎間関係の決定や診断、治療方針の策定等を行えばよい。例えば、図１０に示すように描記体５に描記されたゴシックアーチの左右バランスから、患者の顎関節、咀嚼筋の異常等の診断を行うことができる。
【００５２】
また、描記したゴシックアーチを利用することにより、以下のようにして下顎の前方、左右側側方限界運動路でのチェックバイト採得を行うことができる。
すなわち、ゴシックアーチが描記された描記体５を口腔内から取り出し、図１０に示すように描記体５に描記されたゴシックアーチの頂点（アペックス）から前方、左右側側方限界運動路に沿って所定距離離れた位置にラウンドバー等で描記針の位置決め用の凹部１１、１１、１１を３箇所形成する。
凹部１１、１１、１１が形成された描記体５を上顎に戻し、下顎を運動させて描記針１を凹部１１に位置決めし、その状態で、描記体５と保持体９との間にシリコン印象材を注入し、前方位、左右側方位の３つ状態を順次記録する。
描記体５、保持体９を咬合器の上下顎模型等に装着し、採得した３つのチェックバイトを用い、前方位の記録で咬合器の矢状顆路角の調整、側方位の記録で側方顆路角の調整を行うことができる。その結果、口腔内同様の顎運動（顆路角を含む）を咬合器上で再現した環境で義歯の設計ができるため、患者にとって良好な義歯を提供することができる。
【００５３】
このようにして得られたゴシックアーチを描記した描記体５、保持体９は、従来の金属製の描記板のように繰り返し使用しないので、滅菌、消毒等の処理を必要とせず、患者に不潔、非衛生的といった印象を与えることがなく、また、個々の患者の描記体を保存することで、必要な時にゴシックアーチを再現することが可能となる。
【００５４】
図１１は、残存歯が少ない場合として、下顎に１本のみ残存している患者の残存歯１３を利用して、描記針の保持体１４を形成した状態の説明図である。この保持体１４は、手指でブロックが残存歯１３を取り巻くように手指等で変形等させて形成すればよい。保持体１４の描記針設置面１４ａには描記針１が設置されており、保持体１４は、嵌合孔１４ｂによって残存歯１３と嵌合することになる。図１１に示す描記針の保持体１４を形成する操作等は、前述した操作に準じて行えばよく、説明は省略する。
【００５５】
そして、残存歯は円柱のような単純な形状ではないことから、保持体１４は口腔内で回動する可能性はないといえるが、ゴシックアーチ描記においては、残存歯に過大な負荷がかからないようにして行えばよい。ゴシックアーチの描記操作も前述した操作に準じて行えばよく、説明を省略する。
【００５６】
無歯顎の患者の場合は、通法に従って咬合採得を行った咬合床に基づき作製した記録床を用い、図１２、図１３に示すように、口腔内で上顎の記録床１５に描記体１７を形成し、下顎の記録床１６に描記針１の保持体１８を形成し、描記針１を保持体１８に設置するようにすればよい。ここで、図１２は上顎の記録床１５に描記体１７が形成された状態を示し、図１３は下顎の記録床１６に保持体１８が形成され、描記針１が保持体１８に設置された状態を示している。なお、描記面１７ａと描記針１の先端１ａとの間に咬合紙を介在させ、描記針１によって描記体１７にゴシックアーチが描記される際に、下顎の運動に伴って描記体１７が動いたり、下顎の運動に同調せずに保持体１８が動いたりする可能性がある場合は、これらの移動が防止できる適宜の手段を講ずればよく、例えば、光重合レジン組成物で記録床１５に掛止する爪を描記体１７や保持体１８の縁部に形成すればよい。また、描記体、保持体を形成し、予備重合させた後、記録床を口腔外に取り出し、記録床の蝋を溶融させて、記録床に描記体、保持体を移動しないようにする蝋爪を形成し、その後、口腔内に戻すようにしてもよい。
【００５７】
描記体１７、保持体１８の形成、保持体１８への描記針１の設置操作等は、前述した操作に準じて行えばよいことから、説明を省略する。ゴシックアーチの描記操作も前述した操作に準じて行えばよく、説明を省略する。
【００５８】
記録床１５、１６を咬合器に装着した状態で、描記体１７、保持体１８の形成、保持体１８への描記針１の設置操作等を行い、次いで、口腔内に描記体１７、保持体１８を記録床１５、１６とともに装着し、口腔内でゴシックアーチの描記操作を行うこととしてもよい。
なお、記録床を作製せず、咬合床を利用することも可能である。
【００５９】
以上、ゴシックアーチ描記用キットを利用したゴシックアーチの描記方法について、有歯顎で２つのケース、無歯顎で１つのケースについて説明したが、実際の患者に応じ、これらのケースを参考にして、適切な描記体、保持体、保持体への描記針の設置操作等を行い、ゴシックアーチを描記するようにすればよい。
【００６０】
描記針としては、図１４に示すように角錐の描記針２１であってもよい。
また、図１５に示す描記針２２は、描記針１よりも長めで、側面の下方にマーク２２ａ、２２ａが設けられており、患者に応じ、描記針２２をマークの位置で切断して使用することもできる。なお、描記針は、前記したものに限られるものではなく、適宜の形状等が採用できることはいうまでもない。
【００６１】
図１６に示すように、描記面形成治具に描記針を接着剤で接着するようにしてもよい。図１６は、前述した操作に準じて、描記面形成治具６を用いて保持体２３を形成し、最終重合させ、その後、描記面形成治具６を接着剤で保持体２３に接着させ、次いで、描記面形成治具６の表面に描記針１を接着した状態を示している。
描記面形成治具でなく、描記針設置面形成治具を用いて保持体を形成し、最終重合させ、その後、描記針設置面形成治具を接着剤で保持体に接着させ、次いで、描記針設置面形成治具の表面に描記針を接着するようにしてもよい。
【００６２】
前記した描記面形成治具、描記針設置面形成治具は、アクリル樹脂製が採用できる。アクリル樹脂としては、ＰＭＭＡ、ポリメタクリル酸エチル等が例示できるが、これに限定されるものではない。
なお、描記面形成治具、描記針設置面形成治具の形状、材質は、前記したものに限定されるものではない。
【００６３】
ゴシックアーチ描記用キットにおけるブロック状の光重合レジン組成物の形状は、図１（ｂ）に示した直方体形状だけに限られず、要は、扱いやすく、描記体、保持体の形状に形成しやすい形状であればよく、立方体状ブロック、丸棒状ブロック、蒲鉾状ブロック等適宜の形状が採用可能である。
【００６４】
ゴシックアーチ描記用キットにおけるブロック状の光重合レジン組成物のサイズは、描記体用のブロックと保持体用のブロックでは、当初からそれぞれサイズが異なっているものであってもよく、また、患者の症例、性別等に応じ異なってもよい。
【００６５】
ゴシックアーチ描記用キットにおけるブロック状の光重合レジン組成物は、患者一人分の描記体用のブロックと保持体用のブロックが遮光性の袋または容器に一緒に密封されていてもよいが、描記体用のブロックと保持体用のブロックがそれぞれ別々の遮光性の袋または容器に密封されていてもよい。
【００６６】
従って、ゴシックアーチ描記用キットは、患者一人分のゴシックアーチ描記に必要な描記針、遮光性の袋または容器等に密封されたブロック状の光重合レジン組成物が、一つの袋または容器等に収納されたものであってもよい。
【００６７】
ゴシックアーチ描記用キットは、前記したように、一部の歯が欠損した有歯顎、総ての歯が欠損した無歯顎の患者に適用できるものであり、もちろん、欠損のない健康な有歯顎の患者にも適用ができるものである。また、既に使用している全部床義歯の適否の診断等にも利用できる。
ゴシックアーチ描記用キットは、例えば、有歯顎用のキット（欠損歯の少ない場合、欠損歯が多い場合で異なるキットとしてもよい。）、無歯顎用のキット等、対象とする患者の程度に応じたキットとしてもよい。その場合、ブロック状の光重合レジン組成物の量は、例えば、有歯顎用のキット、無歯顎用のキットにより異なるようにすることが好ましい。これによれば、使い切れなかった光重合レジン組成物の廃棄する量を減らすことができる。さらに、ゴシックアーチ描記用キットとしては、描記面形成治具等を備えていてもよい。
【００６８】
さらに、ゴシックアーチ描記用キットは、複数の患者用に複数の描記針、描記針の数に対応したブロック状の重光合性レジン組成物を一揃えとして備えているものでもよい。その際、例えば、描記針がランナで連結されていてもよい。ブロック状の光重合レジン組成物は、一人分が一つの遮光性の袋または容器等に密封されたものであってもよいし、複数の患者分が、厚手のシート状ブロックとなって一つの遮光性の袋または容器等に密封され、使用に際し、カッター等で必要な量を切り出すようにしたものであってもよい。さらに、複数の患者に必要となる数の描記面形成治具等を備えていてもよい。
【００６９】
その他、これらゴシックアーチ描記用キットには、咬合紙、または、描記用インクを備えていてもよい。描記用インクとしては、インク容器に塗布筆が収納されるようになったものが例示できる。
【００７０】
以上、ゴシックアーチ描記用キットの使用方法として、上顎に描記体、下顎に描記針を設置して、ゴシックアーチを描記する場合について説明したが、上顎に描記針、下顎に描記体を設置してゴシックアーチ描記をしてもよく、その場合のゴシックアーチ描記用キットの使用方法については、上顎に描記体、下顎に描記針を設置して、ゴシックアーチを描記する場合の説明から明らかであるから、詳細な説明を省略する。
【００７１】
なお、保持体の光重合に先立ち、描記針の基部を保持体に埋め込み、その後、保持体を光重合させることで、描記針を保持体に設置するようにしてもよい。また、既製の描記針を用いない方法、例えば、保持体を形成した後、光重合レジン組成物を用い描記針を保持体に築盛するようにすることも可能である。
【実施例】
【００７２】
次に、実施例を比較例とともに示しさらに詳しく説明する。もちろん、この発明は、以下の実施例によって限定されるものではない。
【００７３】
（実施例１）
図１に示す円錐形の描記針を使用した。描記針はＰＭＭＡを成形したものである。描記針の高さは３．４ｍｍ、底面の直径は１．２ｍｍである。
ペースト状の光重合レジン組成物には、下記のａ）成分、ｂ）成分、ｃ）成分、ｄ）成分、ｅ）成分のものを使用した。
ａ）成分として、１，３−ブチレングリコールジメタクリレート２０重量部、
ｂ）成分として、２，２’−ジ（４−ヒドロキシシクロヘキシル）プロパンと２−オキシパノンとヘキサメチレンジイソシアネートと２−ヒドロキシエチルメタクリレートとからなるウレタンオリゴマー５０重量部と、１，３−ブタンジオールとヘキサメチレンジイソシアネートと２−ヒドロキシエチルメタクリレートとからなるウレタンオリゴマー５０重量部、
ｃ）成分として、γ−メタクリロキシプロピルトリメトキシシランによってシランカップリング処理された平均粒径５μｍのガラス微粉末１０重量部と、表面が疎水化された平均粒径１６ｎｍのコロイダルシリカ５０重量部、
ｄ）成分として、平均粒径５０μｍのポリメチルメタクリレート５５重量部と、有機無機複合充填材５重量部、
なお、有機無機複合充填材は、ジ−２−メタクリロキシエチル−２，２，４−トリメチルヘキサメチレンジカルバメートとトリエチレングリコールジメタクリレートとメチルメタクリレートを２：４：４の重量比で混合したもの６９重量％に加熱重合開始剤としてアゾビスイソブチロニトリル１重量％添加した混合液と、平均粒径１６ｎｍのコロイダルシリカ３０重量％との混合物を９５℃で重合硬化させた後粉砕し、５０％平均粒径６０μｍ以下の粉末状としたものである。
ｅ）成分として、カンファーキノン（増感剤）０．１重量部と４−ジメチルアミノ安息香酸エチル（還元剤）０．１重量部。
さらに、ｆ）重合禁止剤としてジ−ｔ−ブチルヒドロキシトルエン０．１重量部を採用した。
これら、ａ）成分、ｂ）成分、ｃ）成分、ｄ）成分、ｅ）成分、ｆ）の重合禁止剤を攪拌混合してペースト状とした。
従って、ａ）成分、ｂ）成分、ｃ）成分、ｄ）成分、および、ｅ）成分の総重量に対する各成分の組成割合は、ａ）成分８．３３重量％、ｂ）成分４１．６３重量％、ｃ）成分２４．９８重量％、ｄ）成分２４．９８重量％、ｅ）成分０．０８重量％である。
【００７４】
（ｉ）光重合レジン組成物における重合前の作業性試験
上記組成の光重合レジン組成物の重合前の作業性試験を、手指の感触により行った。レジン組成物を手指で確認したところ、変形させるのにそれ程の手指の力を必要とないが、変形時に程良い弾力性が感じられ、べたつきが殆どない状態であり、良好なペースト状態と判断した。
【００７５】
（ｉｉ）重合に伴う温度上昇試験
上記組成の光重合レジン組成物を２ｃｍ×１ｃｍ×３ｃｍのブロックとし、３７℃の恒温中で、ハンディタイプの光照射器により３分間光照射を継続し、ブロックの中心部に挿入した熱電対によって、光重合に伴うブロックの温度変化を経時的に測定したところ、照射開始より約３分で３℃昇温し、その後は温度が低下した。
【００７６】
（ｉｉｉ）ゴシックアーチ描記に要する作業性試験
上記組成の光重合レジン組成物を用いて、２ｃｍ×１ｃｍ×３ｃｍの直方体状ブロックを２つ作製し、一方を描記体用、他方を描記針の保持体用とした。
図２、図３に示したと同様な有歯顎の患者の口腔内に、前述の方法に従って描記体と保持体を形成した。
すなわち、描記体の描記面は、図４に示す形状のＰＭＭＡ製の描記面形成治具によって平らにし、保持体の描記針設置面は、描記面形成治具と類似する形状のＰＭＭＡ製の描記針設置面形成治具を使用して平らにした。
描記体と保持体をハンディタイプの光照射器により光をそれぞれ１５秒照射し予備重合させた。
【００７７】
予備重合した描記体と保持体を患者の口腔内から取り出し、残存歯との接触面がアンダーカットとなる箇所の有無を目視で確認し、描記体、保持体のアンダーカットとなる箇所をバーで削除して形状を修正した。
【００７８】
形状修正した描記体、保持体を口腔内に戻し、前記したように描記針によって描記体にゴシックアーチを描記する際に、描記体および保持体が移動する可能性を確認したところ、その可能性がないことを確認した。その後、光照射器により光をそれぞれ２分照射して描記体、保持体を最終重合させ完全硬化させた。
【００７９】
描記針の底面にアクリル系接着剤を塗布し、描記針が正中線上に位置し、かつ、描記体の可及的垂直となるように調整して、描記針を保持体の表面に接着させた。
【００８０】
描記面と描記針の先端１ａとの間に咬合紙を介在させ、下顎を前後、左右側方運動させることで、ゴシックアーチを描記面に描記させた。
【００８１】
ゴシックアーチが描記された描記体を口腔内から取り出し、図１０に示したようにゴシックアーチの頂点（アペックス）から前方、左右側側方限界運動路に沿って４ｍｍ離れた位置にラウンドバーで描記針の位置決め用の凹部を３箇所形成した。凹部の径は約１ｍｍである。凹部が形成された描記体を上顎に戻し、下顎を運動させ描記針を凹部に位置決めし、その状態で、描記体と保持体との間に市販のシリコン印象材（商品名；ジーシーエクザバイト、（株）ジーシー製）を注入し、前方位、左右側方位の３つを順次記録した。
描記体、保持体を咬合器の上下顎模型等に装着し、採得した３つのチェックバイトを用い、前方位の記録で咬合器の矢状顆路角の調整、側方位の記録で側方顆路角の調整を行い、それに基づき患者に適した部分床義歯を作製したところ、良好な結果が得られた。
【００８２】
（比較例１）
市販の歯科用の粉−液タイプの常温重合レジン組成物を用い、処方に従い、粉−液を混合し、餅状になる段階で、略２ｃｍ×１ｃｍ×３ｃｍのブロックとし、２５℃の常温中で、ブロックの中心部に挿入した熱電対によって、常温重合に伴うブロックの温度変化を経時的に測定したところ、３分で５５℃にまで昇温した。この温度では、口腔内で火傷の可能性があることから、描記体、描記針の保持体の形成等は、中止した。
【図面の簡単な説明】
【００８３】
【図１】この発明のゴシックアーチ描記用キットの一例を示し、（ａ）は描記針、（ｂ）はペースト状の光重合レジン組成物の直方体状ブロックの斜視図である。
【図２】上下顎の臼歯部が欠損した患者の上顎を示す斜視図である。
【図３】同下顎を示す斜視図である。
【図４】図１に示すゴシックアーチ描記用キットの使用において、使用することのできる描記面形成治具の斜視図である。
【図５】図４に示す描記面形成治具の使用状態を示す斜視図である。
【図６】他の描記面形成治具の（ａ）は平面図、（ｂ）は正面図である。
【図７】図１に示すゴシックアーチ描記用キットの他の段階で使用中の斜視図である。
【図８】図１に示すゴシックアーチ描記用キットのさらに他の段階で使用中の斜視図である。
【図９】図１に示すゴシックアーチ描記用キットのさらに他の段階で使用中の斜視図である。
【図１０】図１に示すゴシックアーチ描記用キットによって得られたゴシックアーチを利用したチェックバイト採得における説明図である。
【図１１】図１に示すゴシックアーチ描記用キットの他の患者の口腔内での使用中の斜視図である。
【図１２】図１に示すゴシックアーチ描記用キットのさらに他の患者の口腔内での使用中の斜視図である。
【図１３】図１に示すゴシックアーチ描記用キットのさらに他の患者の他の段階での使用中の斜視図である。
【図１４】この発明のゴシックアーチ描記用キットにおける他の描記針を示す拡大斜視図である。
【図１５】さらに他の描記針を示す拡大斜視図である。
【図１６】図４に示す描記面形成治具の他の使用方法を示す斜視図である。
【図１７】従来のゴシックアーチ描記用の描記針と描記板の平面図である。
【図１８】図１７に示す描記針と描記板を用いたゴシックアーチを口内描記方法の概念図と、得られたゴシックアーチを示す説明図である。
【符号の説明】
【００８４】
１  描記針
２ａ、２ｂ  ブロック
３  上顎
４  下顎
５  描記体
６  描記面形成治具
９  保持体
【図１】
2009240514.tif 000003
【図２】
2009240514.tif 000004
【図３】
2009240514.tif 000005
【図４】
2009240514.tif 000006
【図５】
2009240514.tif 000007
【図６】
2009240514.tif 000008
【図７】
2009240514.tif 000009
【図８】
2009240514.tif 000010
【図９】
2009240514.tif 000011
【図１０】
2009240514.tif 000012
【図１１】
2009240514.tif 000013
【図１２】
2009240514.tif 000014
【図１３】
2009240514.tif 000015
【図１４】
2009240514.tif 000016
【図１５】
2009240514.tif 000017
【図１６】
2009240514.tif 000018
【図１７】
2009240514.tif 000019
【図１８】
2009240514.tif 000020